【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
遊技球が入球可能な入球手段と、
その入球手段に遊技球が入球した場合に情報を取得可能な取得手段と、
その取得手段により取得された前記情報を所定数まで記憶可能な記憶手段と、
その記憶手段に記憶された前記情報に基づいて判別を実行する判別手段と、
その判別手段による判別結果を示すための識別情報が表示される表示手段と、
前記識別情報を動的表示させる動的表示実行手段と、
その動的表示実行手段により動的表示される前記識別情報の動的表示期間を決定する動的表示期間決定手段と、
特定の前記判別結果に基づいた前記識別情報が停止表示された場合に、遊技者に有利となる特典を付与する特典付与手段と、を有した遊技機において、
前記入球手段に遊技球が入球可能な第１状態と、遊技球の入球が前記第１状態よりも困難となる第２状態とに可変可能な可変手段と、
その可変手段を前記第２状態から第１状態へと所定条件が成立するまで可変させる可変制御手段と、
特定条件の成立に基づいて、前記可変制御手段により前記可変手段が前記第１状態へと可変され易い有利状態を終了条件の成立まで設定する状態設定手段と、
前記状態設定手段により前記有利状態が設定された場合に前記識別情報の前記動的表示期間として、長い動的表示期間が決定される割合が高くなるように設定することで、前記有利状態が設定された後、初めに実行される前記識別情報の動的表示期間中に、前記入球手段に遊技球が入球可能となる設定を実行する設定手段と、を有し、
前記設定手段は、前記有利状態が設定されている状態で、前記記憶手段に予め定められた数以上の前記情報が記憶されていれば、前記有利状態が設定されていない場合よりも短い動的表示期間が決定される割合が高くなるように設定することが可能に構成されているものであることを特徴とする遊技機。
【請求項２】
前記入球手段に入球した遊技球を検出可能な検出手段を有するものであることを特徴とする請求項１記載の遊技機。
【手続補正２】
【補正対象書類名】明細書
【補正対象項目名】０００６
【補正方法】変更
【補正の内容】
【０００６】
この目的を達成するために請求項１記載の遊技機は、遊技球が入球可能な入球手段と、その入球手段に遊技球が入球した場合に情報を取得可能な取得手段と、その取得手段により取得された前記情報を所定数まで記憶可能な記憶手段と、その記憶手段に記憶された前記情報に基づいて判別を実行する判別手段と、その判別手段による判別結果を示すための識別情報が表示される表示手段と、前記識別情報を動的表示させる動的表示実行手段と、その動的表示実行手段により動的表示される前記識別情報の動的表示期間を決定する動的表示期間決定手段と、特定の前記判別結果に基づいた前記識別情報が停止表示された場合に、遊技者に有利となる特典を付与する特典付与手段と、を有し、前記入球手段に遊技球が入球可能な第１状態と、遊技球の入球が前記第１状態よりも困難となる第２状態とに可変可能な可変手段と、その可変手段を前記第２状態から第１状態へと所定条件が成立するまで可変させる可変制御手段と、特定条件の成立に基づいて、前記可変制御手段により前記可変手段が前記第１状態へと可変され易い有利状態を終了条件の成立まで設定する状態設定手段と、前記状態設定手段により前記有利状態が設定された場合に前記識別情報の前記動的表示期間として、長い動的表示期間が決定される割合が高くなるように設定することで、前記有利状態が設定された後、初めに実行される前記識別情報の動的表示期間中に、前記入球手段に遊技球が入球可能となる設定を実行する設定手段と、を有し、前記設定手段は、前記有利状態が設定されている状態で、前記記憶手段に予め定められた数以上の前記情報が記憶されていれば、前記有利状態が設定されていない場合よりも短い動的表示期間が決定される割合が高くなるように設定することが可能に構成されているものである。
【手続補正３】
【補正対象書類名】明細書
【補正対象項目名】０００７
【補正方法】変更
【補正の内容】
【０００７】
請求項２記載の遊技機は、請求項１記載の遊技機において、前記入球手段に入球した遊技球を検出可能な検出手段を有するものである。
【手続補正４】
【補正対象書類名】明細書
【補正対象項目名】００１１
【補正方法】変更
【補正の内容】
【００１１】
請求項１記載の遊技機によれば、遊技球が入球可能な入球手段と、その入球手段に遊技球が入球した場合に情報を取得可能な取得手段と、その取得手段により取得された前記情報を所定数まで記憶可能な記憶手段と、その記憶手段に記憶された前記情報に基づいて判別を実行する判別手段と、その判別手段による判別結果を示すための識別情報が表示される表示手段と、前記識別情報を動的表示させる動的表示実行手段と、その動的表示実行手段により動的表示される前記識別情報の動的表示期間を決定する動的表示期間決定手段と、特定の前記判別結果に基づいた前記識別情報が停止表示された場合に、遊技者に有利となる特典を付与する特典付与手段と、を有し、前記入球手段に遊技球が入球可能な第１状態と、遊技球の入球が前記第１状態よりも困難となる第２状態とに可変可能な可変手段と、その可変手段を前記第２状態から第１状態へと所定条件が成立するまで可変させる可変制御手段と、特定条件の成立に基づいて、前記可変制御手段により前記可変手段が前記第１状態へと可変され易い有利状態を終了条件の成立まで設定する状態設定手段と、前記状態設定手段により前記有利状態が設定された場合に前記識別情報の前記動的表示期間として、長い動的表示期間が決定される割合が高くなるように設定することで、前記有利状態が設定された後、初めに実行される前記識別情報の動的表示期間中に、前記入球手段に遊技球が入球可能となる設定を実行する設定手段と、を有し、前記設定手段は、前記有利状態が設定されている状態で、前記記憶手段に予め定められた数以上の前記情報が記憶されていれば、前記有利状態が設定されていない場合よりも短い動的表示期間が決定される割合が高くなるように設定することが可能に構成されているものである。よって、遊技者の興趣を向上できるという効果がある。
【手続補正５】
【補正対象書類名】明細書
【補正対象項目名】００１２
【補正方法】変更
【補正の内容】
【００１２】
請求項２記載の遊技機は、請求項１記載の遊技機の奏する効果に加え、次の効果を奏する。即ち、前記入球手段に入球した遊技球を検出可能な検出手段を有するものである。よって、入球した遊技球をより正確に検出することができるという効果がある。
【手続補正６】
【補正対象書類名】明細書
【補正対象項目名】２０６６
【補正方法】変更
【補正の内容】
【２０６６】
１０                      パチンコ機（遊技機）
８１                      第３図柄表示装置（表示手段）
２０３ａ                  特別図柄保留球格納エリア（記憶手段）
６４０                    第２入賞口（入球手段）
６４０ａ                  電動役物６４０ａ（可変手段）
Ｓ１０５                  取得手段
Ｓ２４０                  判別手段、動的表示期間決定手段
Ｓ１０４０                特典付与手段
Ｓ２４０５ 動的表示実行手段
Ｓ４７１４                状態設定手段
Ｓ４７３１ 設定手段